(57)【要約】【課題】本発明は、音響変換装置のサスペンションに関するものである。【解決手段】本発明は、音響変換装置の振動板及びボイスコイルが付着され、振動板及びボイスコイルの振動を案内し、ボイスコイルが付着される中央部、フレームに付着される外周部及び中央部と外周部とを連結する連結部を備える音響変換装置のサスペンションにおいて、中央部が熱又は圧力により成形された成形部を備え、センター振動板の役割を果たすことを特徴とする、音響変換装置のサスペンションを提供する。【選択図】図３
2014217042.tif 000002
【特許請求の範囲】
【請求項１】
音響変換装置の振動板及びボイスコイルが付着され、振動板及びボイスコイルの振動を案内し、ボイスコイルが付着される中央部、フレームに付着される外周部及び中央部と外周部とを連結する連結部を備える音響変換装置のサスペンションにおいて、
中央部は、熱又は圧力により成形された成形部を備え、センター振動板の役割を果たすことを特徴とする、音響変換装置のサスペンション。
【請求項２】
サスペンションは、ベースフィルムと、ベースフィルムの両面に付着される導電性パターン層と、導電性パターン層上に付着されるカバーレイヤとを含み、成形部は、少なくとも一面に付着された導電性パターン層及びカバーレイヤの少なくとも一つが除去されることを特徴とする、請求項１に記載の音響変換装置のサスペンション。
【請求項３】
ベースフィルムは、ＰＩフィルム、ＰＥＩ−Ｆフィルム、ＰＥＥＫフィルム及びＰＥＮフィルムの何れか一つからなることを特徴とする、請求項２に記載の音響変換装置のサスペンション。
【請求項４】
カバーレイヤは、ＰＩフィルム、ＰＥＩ−Ｆフィルム、ＰＥＥＫフィルム及びＰＥＮフィルムの何れか一つからなることを特徴とする、請求項２に記載の音響変換装置のサスペンション。
【請求項５】
サスペンションは、ボイスコイルのリード線をボンディングするためのボンディング部をボイスコイル付着位置の内側に備え、
サスペンションは、ボイスコイルのリード線が干渉なしにボンディング部に引き出されるように、ボイスコイル付着位置に所定大きさに導電性パターン及びカバーレイヤを除去した逃避部を備えることを特徴とする、請求項１に記載の音響変換装置のサスペンション。
【請求項６】
成形部は、上方に突設される正ドーム部(Normal dome part)及び下方に突設される逆ドーム部(Reverse dome part)を全部含むことを特徴とする、請求項１に記載の音響変換装置のサスペンション。
【請求項７】
サスペンションは、ボイスコイルのリード線をボンディングするためのボンディング部を中央部に備え、
成形部は、ボンディング部を避けて形成されることを特徴とする、請求項１に記載の音響変換装置のサスペンション。
【請求項８】
サスペンションは、ボイスコイルのリード線をボンディングするためのボンディング部をボイスコイル付着位置の内側に備え、
サスペンションは、ボイスコイルのリード線が干渉なしにボンディング部に引き出されるように、ボイスコイル付着位置に所定大きさの穿孔部を備えることを特徴とする、請求項１に記載の音響変換装置のサスペンション。
【請求項９】
成形部は、剛性を増加させるための導電性パターン層をさらに備えることを特徴とする、請求項１に記載の音響変換装置のサスペンション。
【請求項１０】
サスペンションは、ＦＰＣＢからなり、エッチング又は電着によりＦＰＣＢパターンが形成されることを特徴とする、請求項１〜請求項９の何れか一つに記載の音響変換装置のサスペンション。
【発明の詳細な説明】
【技術分野】
【０００１】
本発明は、音響変換装置のサスペンションに関する。
【背景技術】
【０００２】
図１は、従来の音響変換装置の一例を示す図である。フレーム１０内にヨーク２１、内輪マグネット２２、外輪マグネット２３、内輪トッププレート２４及び外輪トッププレート２５が設けられ、内輪マグネット２２と外輪マグネット２３との間のエアーギャップにボイスコイル３０が位置し、ボイスコイル３０に電源が印加される場合に上下に振動する。ボイスコイル３０はサスペンション４０の下面に設けられ、サスペンション４０の上下面にはサイド振動板５１及びセンター振動板５２が設けられ、ボイスコイル３０の振動により音響を発生させる。その上にはスピーカ内に位置した部品を保護するためにプロテクタ６０が結合される。プロテクタ６０は、中央に音響を放射できるように開口が形成されたリング状のスチール部６１と、スチール部６１がインサートされて射出成形され、フレーム１０、サイド振動板５１の外周部及びサスペンション４０の外周部上に積層されるリング状の射出部６２とを含む。このように、センター振動板５２を別途に付着するには、サスペンション４０とセンター振動板５２とを付着するための接着面が必要になり、サスペンション４０とセンター振動板５２との間にボンディング層が必要になることにより、積層厚さが厚くなり、作業偏差も大きいという短所があった。
【０００３】
図２は、従来の音響変換装置の他の一例を示す図である。フレーム１０内にヨーク２１、内輪マグネット２２、外輪マグネット２３、内輪トッププレート２４及び外輪トッププレート２５が設けられ、内輪マグネット２２と外輪マグネット２３との間のエアーギャップにボイスコイル３０が位置し、ボイスコイル３０はサスペンション４０'の下面に装着される点は、図１に示す従来の音響変換装置と同様である。しかしながら、サスペンション４０'の中央部が穿孔されなくてセンター振動板の役割を果たすことで、センター振動板を別途に製造して付着しないという点から、図１に示す従来の音響変換装置と差異がある。サイド振動板５１は、サスペンションの上面又は下面に付着され、スピーカ内に位置した部品を保護するためにプロテクタ６０も含む。このように、サスペンション４０'の中央部がセンター振動板の役割を果たす場合、重くなって音圧が低くなる短所があった。また、重さを軽くするためにサスペンションの厚さを薄くする場合、剛性の弱化により高域部における音圧のディップ(dip)が発生して音響特性が悪くなるという短所があった。
【発明の概要】
【発明が解決しようとする課題】
【０００４】
本発明の目的は、音響変換装置の積層厚さを減少させると同時に、高域部における音響特性を向上できるように、充分な剛性を持つサスペンションを提供することにある。
【課題を解決するための手段】
【０００５】
本発明は、音響変換装置の振動板及びボイスコイルが付着され、振動板及びボイスコイルの振動を案内し、ボイスコイルが付着される中央部、フレームに安着する外周部及び中央部と外周部とを連結する連結部を備える音響変換装置のサスペンションにおいて、中央部は、熱又は圧力により成形された成形部を備え、センター振動板の役割を果たすことを特徴とする、音響変換装置のサスペンションを提供する。
【０００６】
また、本発明の他の一例として、サスペンションは、ベースフィルムと、ベースフィルムの両面に付着される導電性パターン層と、導電性パターン層上に付着されるカバーレイヤとを含み、成形部は、少なくとも一面に付着された導電性パターン層及びカバーレイヤの少なくとも一つが除去されることを特徴とする、音響変換装置のサスペンションを提供する。
【０００７】
また、本発明の他の一例として、ベースフィルムは、ＰＩフィルム、ＰＥＩ−Ｆフィルム、ＰＥＥＫフィルム及びＰＥＮフィルムの何れか一つからなることを特徴とする、音響変換装置のサスペンションを提供する。
【０００８】
また、本発明の他の一例として、カバーレイヤは、ＰＩフィルム、ＰＥＩ−Ｆフィルム、ＰＥＥＫフィルム及びＰＥＮフィルムの何れか一つからなることを特徴とする、音響変換装置のサスペンションを提供する。
【０００９】
また、本発明の他の一例として、サスペンションは、ボイスコイルのリード線をボンディングするためのボンディング部をボイスコイル付着位置の内側に備え、サスペンションは、ボイスコイルのリード線が干渉なしにボンディング部に引き出されるように、ボイスコイル付着位置に所定大きさに導電性パターン及びカバーレイヤを除去した逃避部を備えることを特徴とする、音響変換装置のサスペンションを提供する。
【００１０】
また、本発明の他の一例として、成形部は、上方に突設される正ドーム部(Normal dome part)及び下方に突設される逆ドーム部(Reverse dome part)を全部含むことを特徴とする、音響変換装置のサスペンションを提供する。
【００１１】
また、本発明の他の一例として、サスペンションは、ボイスコイルのリード線をボンディングするためのボンディング部を中央部に備え、成形部は、ボンディング部を避けて形成されることを特徴とする、音響変換装置のサスペンションを提供する。
【００１２】
また、本発明の他の一例として、サスペンションは、ボイスコイルのリード線をボンディングするためのボンディング部をボイスコイル付着位置の内側に備え、サスペンションは、ボイスコイルのリード線が干渉なしにボンディング部に引き出されるように、ボイスコイル付着位置に所定大きさの穿孔部を備えることを特徴とする、音響変換装置のサスペンションを提供する。
【００１３】
また、本発明の他の一例として、成形部は、剛性を増加させるための導電性パターン層をさらに備えることを特徴とする、音響変換装置のサスペンションを提供する。
【００１４】
また、本発明の他の一例として、サスペンションは、ＦＰＣＢからなり、エッチング又は電着によりＦＰＣＢパターンが形成されることを特徴とする、音響変換装置のサスペンションを提供する。
【発明の効果】
【００１５】
本発明に係る音響変換装置のサスペンションは、中央部に正ドーム又は逆ドームで成形部が形成され、センター振動板の役割を果たすサスペンション中央部の剛性を向上させることで、高域部における音響特性を向上できる。
【００１６】
また、本発明に係る音響変換装置のサスペンションは、センター振動板を別途に製造して付着する必要がないため、組立工程が簡単であり、音響変換装置の全体的な積層厚さを低減できる。
【００１７】
また、本発明に係る音響変換装置のサスペンションは、センター振動板を別途に製造して付着する必要がないため、作業偏差による不良率を低下できる。
【図面の簡単な説明】
【００１８】
【図１】従来の音響変換装置の一例を示す図である。
【図２】従来の音響変換装置の他の一例を示す図である。
【図３】本発明の第１の実施例に係る音響変換装置のサスペンションを示す図である。
【図４】本発明の第２の実施例に係る音響変換装置のサスペンションの積層断面を示す図である。
【図５】本発明の第３の実施例に係る音響変換装置のサスペンションの積層断面を示す図である。
【図６】本発明の第４の実施例に係る音響変換装置のサスペンションの積層断面を示す図である。
【図７】本発明の第５の実施例に係る音響変換装置のサスペンションの積層断面を示す図である。
【図８】本発明の第６の実施例に係る音響変換装置のサスペンションの積層断面を示す図である。
【図９】本発明の第７の実施例に係る音響変換装置のサスペンションを示す図である。
【図１０】本発明の第７の実施例に係る音響変換装置のサスペンションを示す図である。
【図１１】本発明の第８の実施例に係るサスペンションを備える音響変換装置を示す図である。
【図１２】本発明の第９の実施例に係る音響変換装置のサスペンションを示す図である。
【図１３】本発明の第１０の実施例に係る音響変換装置のサスペンションを示す図である。
【発明を実施するための形態】
【００１９】
以下、図面に基づき、本発明の好適な実施例を詳細に説明する。
【００２０】
図３は、本発明の第１の実施例に係る音響変換装置のサスペンションを示す図である。本発明の第１の実施例に係る音響変換装置のサスペンション１００は、サイド振動板５００(図示せず)の内周部とボイスコイル３００(図示せず)とが付着される中央部１１０、フレーム(図示せず)に付着される外周部１２０及び中央部１１０と外周部１２０とを連結する連結部１３０を含む。中央部１１０は、外周部１２０及び連結部１３０と同一の高さに扁平に形成された扁平面１１２と、扁平面１１２から上方に突設された正ドーム部(Normal dome part)１１４と、扁平面１１２から下方に突設された逆ドーム部(Reverse dome part)１１６とを含む。ここで、下部はボイスコイル３００(図示せず)が付着される側を言い、上部は音響変換装置においてプロテクタ(図示せず)側を言う。図３に示す本発明の第１の実施例では、逆ドーム部(Reverse dome part)１１６が中央部１１０の真ん中に形成され、正ドーム部(Normal dome part)１１４が逆ドーム部(Reverse dome part)１１６の両側を囲むように一対が形成される。ところが、正ドーム部(Normal dome part)１１４及び逆ドーム部(Reverse dome part)１１６の配置は互いに変更されることができ、正ドーム部(Normal dome part)１１４及び逆ドーム部(Reverse dome part)１１６の成形個数及び形態も、第１の実施例に限ることなく、設計変更が可能である。また、正ドーム部(Normal dome part)１１４のみを形成したり、逆ドーム部(Reverse dome part)１１６のみを形成することもできる。
【００２１】
サスペンション１００は、ＦＰＣＢからなり、ベースフィルム１００ａに所定パターンの導電性パターン層１００ｂが形成され、その上にカバーレイヤ１００ｃが付着される。導電性パターン層１００ｂは、一対が付着されて＋極及び−極の電気的な信号を伝達できるように形成され、外周部１２０の一側に形成されたターミナルボンディング部１４０から外周部１２０、連結部１３０、中央部１１０を経て後述する中央部１１０の内部に形成されたボンディング部１５０まで延長されるように形成される。ＦＰＣＢのパターンは、エッチング又は電着により形成され得る。
【００２２】
図４は、本発明の第２の実施例に係る音響変換装置のサスペンションの積層断面を示す図である。本発明に係る音響変換装置のサスペンションは、ＰＩフィルム、ＰＥＩ−Ｆフィルム、ＰＥＥＫフィルム及びＰＥＮフィルムなどで製造されるベースフィルム１００ａの両面にＣｕのような導電性パターン層１００ｂを形成し、その上に、同様にＰＩフィルム、ＰＥＩ−Ｆフィルム、ＰＥＥＫフィルム及びＰＥＮフィルムなどで製造されるカバーレイヤ１００ｃを形成して製造される。本発明の第１の実施例に係る音響変換装置のサスペンション１００は、正ドーム部(Normal dome part)１１４及び逆ドーム部(Reverse dome part)１１６のような成形部は、上下面の導電性パターン層１００ｂ及びカバーレイヤ１００ｃを全部除去する。よって、サスペンション１００の成形部はベースフィルム１００ａのみからなる。
【００２３】
図５は、本発明の第３の実施例に係る音響変換装置のサスペンションの積層断面を示す図である。ベースフィルム１００ａの両面にＣｕのような導電性パターン層１００ｂを形成し、その上にカバーレイヤ１００ｃを形成して製造される点は、第２の実施例と同様である。本発明の第３の実施例に係る音響変換装置のサスペンションは、成形部の下面に付着される導電性パターン層１００ｂ及びカバーレイヤ１００ｃのみを除去する。よって、音響変換装置のサスペンションは、上面はカバーレイヤ１００ｃが露出され、下面はベースフィルム１００ａが露出される。
【００２４】
図６は、本発明の第４の実施例に係る音響変換装置のサスペンションの積層断面を示す図である。ベースフィルム１００ａの両面にＣｕのような導電性パターン層１００ｂを形成し、その上にカバーレイヤ１００ｃを形成して製造される点は、第２の実施例及び第３の実施例と同様である。本発明の第４の実施例に係る音響変換装置のサスペンションは、成形部の上面に付着される導電性パターン層１００ｂ及びカバーレイヤ１００ｃのみを除去する。よって、音響変換装置のサスペンションは、下面はカバーレイヤ１００ｃが露出され、上面はベースフィルム１００ａが露出される。
【００２５】
図７は、本発明の第５の実施例に係る音響変換装置のサスペンションの積層断面を示す図である。ベースフィルム１００ａの両面にＣｕのような導電性パターン層１００ｂを形成し、その上にカバーレイヤ１００ｃを形成して製造される点は、第２の実施例〜第４の実施例と同様である。本発明の第５の実施例に係る音響変換装置のサスペンションは、成形部の下面は導電性パターン層１００ｂ及びカバーレイヤ１００ｃを全部除去し、上面は導電性パターン層１００ｂのみを除去する。よって、音響変換装置のサスペンションは、上面はカバーレイヤ１００ｃが露出され、下面はベースフィルム１００ａが露出される。
【００２６】
図８は、本発明の第６の実施例に係る音響変換装置のサスペンションの積層断面を示す図である。ベースフィルム１００ａの両面にＣｕのような導電性パターン層１００ｂを形成し、その上にカバーレイヤ１００ｃを形成して製造される点は、第２の実施例〜第５の実施例と同様である。本発明の第６の実施例に係る音響変換装置のサスペンション１００は、成形部の上面は導電性パターン層１００ｂ及びカバーレイヤ１００ｃを全部除去し、下面は導電性パターン層１００ｂのみを除去する。よって、音響変換装置のサスペンションは、下面はカバーレイヤ１００ｃが露出され、上面はベースフィルム１００ａが露出される。
【００２７】
本発明の第２の実施例〜第６の実施例は、音響変換装置のサスペンションの成形部の積層断面に関するもので、サスペンションの形状に関する第１の実施例、第７の実施例及び第８の実施例の何れか一つと両立して適用され得る。
【００２８】
図９及び図１０は、本発明の第７の実施例に係る音響変換装置のサスペンションを示す図である。本発明の第７の実施例に係る音響変換装置のサスペンションは、中央部１１０に外周部１２０及び連結部１３０と同一の高さに扁平に形成された扁平面１１２と、扁平面１１２から上方に突設された正ドーム部(Normal dome part)１１４と、扁平面１１２から下方に突設された逆ドーム部(Reverse dome part)１１６とを含む。正ドーム部(Normal dome part)１１４は長軸方向に対して対称となるように間隔をおいて一対が形成され、逆ドーム部(Reverse dome part)１１６は一対の正ドーム部(Normal dome part)１１４の間に形成される。長軸方向を長手方向に定義する時、逆ドーム部(Reverse dome part)１１６の長さは正ドーム部(Normal dome part)１１４の長さより短く形成される。よって、一対の正ドーム部(Normal dome part)１１４間には逆ドーム部(Reverse dome part)１１６の外に扁平面１１２も形成される。すなわち、扁平面１１２は、ボイスコイル３００が付着される中央部１１０の外周と、外周から正ドーム部(Normal dome part)１１４間に所定長さが延長された部分とからなる。
【００２９】
サスペンション１００の下面の扁平面１１２にボイスコイル３００のリードワイヤをボンディングするためのボンディング部１５０が形成される。特に、ボンディング部１５０は、扁平面１１２のうち、正ドーム部(Normal dome part)１１４間に延長された部分に形成される。ボイスコイル３００のリードワイヤは、ボイスコイル３００の内側に引き出してボンディング部１５０にボンディングされ、ターミナルボンディング部１４０(図３参照)からボンディング部１５０まで形成された導電性パターン層１００ｂにより電気的な信号がボイスコイル３００に伝達される。
【００３０】
図１１は、本発明の第８の実施例に係るサスペンションを備える音響変換装置を示す図である。本発明の第８の実施例に係るサスペンション１００は、本発明の第７の実施例と同様に、サスペンション１００の下面の中央部１１０(図３参照)の扁平面１１２(図１０参照)にボンディング部１５０(図１０参照)を備える時、ボイスコイル３００のリード線が干渉なしにボンディング部１５０(図１０参照)に引き出されるように、ボイスコイル付着位置に所定大きさの穿孔部１６０を形成する。ボイスコイル３００からボンディング部１５０(図１０参照)にボイスコイルのリード線を引き出す引出し経路上に穿孔部１６０を形成することにより、ボイスコイルのリード線がサスペンションの中央部１1０と干渉して中央部１１０の形状を歪曲させるという問題点を防止し得る。
【００３１】
図１２は、本発明の第９の実施例に係る音響変換装置のサスペンションを示す図である。本発明の第９の実施例に係るサスペンション１００は、本発明の第７の実施例と同様に、サスペンション１００の下面の中央部１１０(図３参照)の扁平面１１２(図１０参照)にボンディング部１５０(図１０参照)が具備される時、ボイスコイル３００のリード線が干渉なしにボンディング部１５０(図１０参照)に引き出されるように、ボイスコイル付着位置にカバーレイヤ１００ｃ又はカバーレイヤ１００ｃ及び導電性パターン層１００ｂを所定大きさに除去した逃避部１７０を形成する。ボイスコイル３００からボンディング部１５０(図１０参照)にボイスコイルのリード線を引き出す引出し経路上に逃避部１７０を形成することにより、ボイスコイルのリード線がサスペンションの中央部１１０と干渉して中央部１１０の形状を歪曲させるという問題点を防止し得る。
【００３２】
図１３は、本発明の第１０の実施例に係る音響変換装置のサスペンションを示す図である。本発明の第１０の実施例に係るサスペンション１００は、サスペンション１００の中央部１１０(図３参照)に形成された逆ドーム部(Reverse dome part)１１６に追加の導電性パターン層１８０を備えることにより、逆ドーム部(Reverse dome part)１１６の剛性を増加させて高音域の音響特性を向上させる。第１０の実施例に示す追加の導電性パターン層１８０は格子型で形成されるが、これに限らず、重さの増加を最小化しながら剛性を向上できる複数の平行線や交差線のような他の形状でも形成され得る。
【符号の説明】
【００３３】
１００  サスペンション
１００ａ  ベースフィルム
１００ｂ  導電性パターン層
１００ｃ  カバーレイヤ
１１０  中央部
１１２  扁平面
１１４  正ドーム部(Normal dome part)
１１６  逆ドーム部(Reverse dome part)
１２０  外周部
１３０  連結部
１４０  ターミナルボンディング部
１５０  ボンディング部
１６０  穿孔部
１７０  逃避部
３００  ボイスコイル
５００  振動板
【図１】
2014217042.tif 000003
【図２】
2014217042.tif 000004
【図３】
2014217042.tif 000005
【図４】
2014217042.tif 000006
【図５】
2014217042.tif 000007
【図６】
2014217042.tif 000008
【図７】
2014217042.tif 000009
【図８】
2014217042.tif 000010
【図９】
2014217042.tif 000011
【図１０】
2014217042.tif 000012
【図１１】
2014217042.tif 000013
【図１２】
2014217042.tif 000014
【図１３】
2014217042.tif 000015